(57)【要約】【課題】微粒子捕集装置に大量のプラグアッシュが堆積しているときのＰＭ再生制御時において、微粒子捕集装置の破損（溶損）を防止することができる微粒子捕集装置のＰＭ再生制御システム、内燃機関、及び微粒子捕集装置のＰＭ再生制御方法を提供する。【解決手段】第２ＰＭ再生制御の終了から次回の開始までの捕集期間において、エンジン回転数と負荷に基づいて算出されるＰＭ捕集量の累積算出値Ｃｃを横軸にして、この累積算出値Ｃｃの算出時に対応する差圧センサで検出される前後差圧の検出値ΔＰを縦軸にプロットした図における前後差圧の検出値ΔＰの増加度合いを示す傾斜角度αｐａを算出し、この算出した傾斜角度αｐａに基づいて、微粒子捕集装置２のＰＭ再生制御を、通常時用ＰＭ再生制御モードから、微粒子捕集装置２における熱負荷を通常時用ＰＭ再生制御モードよりも低くする緊急時用ＰＭ再生制御モードに切り替える制御を行う。【選択図】図２
2017025717.tif 000002
【特許請求の範囲】
【請求項１】
ウォールフロータイプのフィルタで構成され、内燃機関の排気通路に配設されて、該排気通路を通過する排気ガス中のＮＯｘを増加するＮＯｘ増加制御を行う第１ＰＭ再生制御、または、前記排気通路を通過する排気ガスを昇温する排気ガス昇温制御を行う第２ＰＭ再生制御で捕集したＰＭを除去する微粒子捕集装置のＰＭ再生制御システムにおいて、
前記微粒子捕集装置の前後差圧を検出する差圧検出装置を設けるとともに、
当該ＰＭ再生制御システムを制御する制御装置が、
前記第２ＰＭ再生制御の終了から次回の前記第２ＰＭ再生制御の開始までの捕集期間における前記微粒子捕集装置のＰＭ捕集量に関して、
エンジン回転数と負荷に基づいて算出されるＰＭ捕集量の累積算出値を横軸にして、この累積算出値の算出時に対応する前記差圧検出装置で検出される前後差圧の検出値を縦軸にプロットした図における前記前後差圧の検出値の増加度合いを示す傾斜角度を算出するとともに、
この算出した前記傾斜角度に基づいて、前記微粒子捕集装置のＰＭ再生制御を、通常時用ＰＭ再生制御モードから、前記微粒子捕集装置における熱負荷を通常時用ＰＭ再生制御モードよりも低くする緊急時用ＰＭ再生制御モードに切り替える制御を行うように構成されたことを特徴とする微粒子捕集装置のＰＭ再生制御システム。
【請求項２】
前記制御装置が、
前記微粒子捕集装置の最初の微粒子捕集の際の前記捕集期間における前記前後差圧の検出値の曲線に基づいて第１累積算出値とこの第１累積算出値より大きな値となる第２累積算出値を予め設定し、
前記捕集期間において、前回の前記第２ＰＭ再生制御の終了直後から前記第１累積値未満までのデータを使用せずに、前記第１累積値と前記第２累積値の間のデータ、若しくは、前記第１累積値と次回の前記第２ＰＭ再生制御の開始直前の間のデータを使用して、前記傾斜角度を算出して、この傾斜角度が予め設定した判定角度以上の場合に判定用回数をカウントすると共に、
この判定用回数が予め設定した判定回数値を超えたときに、前記微粒子捕集装置のＰＭ再生制御を、前記通常時用ＰＭ再生制御モードから、前記緊急時用ＰＭ再生制御モードに切り替える制御を行うように構成された請求項１に記載の微粒子捕集装置のＰＭ再生制御システム。
【請求項３】
前記制御装置が、
前記緊急時用ＰＭ再生制御モードにおいて、
前記第１ＰＭ再生制御の前記ＮＯｘ増加制御を行う時間を、前記通常時用ＰＭ再生制御モードのときよりも長くするか、
または、前記第２ＰＭ再生制御の前記排気ガス昇温制御における、排気ガスの昇温速度を、前記通常時用ＰＭ再生制御モードのときよりも小さくするか、
または、前記第２ＰＭ再生制御における排気ガスの温度の上限設定値を、前記通常時用ＰＭ再生制御モードのときよりも低くするか
のいずれか一つまたはいずれか二つの組み合わせまたは全部を行うように構成された請求項１または２に記載の微粒子捕集装置のＰＭ再生制御システム。
【請求項４】
請求項１〜３のいずれか１項に記載の微粒子捕集装置のＰＭ再生制御システムを備えたことを特徴とする内燃機関。
【請求項５】
ウォールフロータイプのフィルタで構成され、内燃機関の排気通路に配設されて、該排気通路を通過する排気ガス中のＮＯｘを増加するＮＯｘ増加制御を行う第１ＰＭ再生制御、または、前記排気通路を通過する排気ガスを昇温する排気ガス昇温制御を行う第２ＰＭ再生制御で捕集したＰＭを除去する微粒子捕集装置のＰＭ再生制御方法において、
前記第２ＰＭ再生制御の終了から次回の前記第２ＰＭ再生制御の開始までの捕集期間における前記微粒子捕集装置のＰＭ捕集量に関して、
エンジン回転数と負荷に基づいてＰＭ捕集量の累積算出値を算出すると共に、この累積算出値の算出時に対応する前記微粒子捕集装置における前後差圧の検出値を差圧検出装置で検出し、
前記累積算出値を横軸にして、この累積算出値の算出時に対応する前記前後差圧の検出値を縦軸にプロットした図における前記前後差圧の検出値の増加度合いを示す傾斜角度を算出するとともに、
この算出した前記傾斜角度に基づいて、前記微粒子捕集装置のＰＭ再生制御を、通常時用ＰＭ再生制御モードから、前記微粒子捕集装置における熱負荷を通常時用ＰＭ再生制御モードよりも低くする緊急時用ＰＭ再生制御モードに切り替える制御を行うことを特徴とする微粒子捕集装置のＰＭ再生制御方法。
【請求項６】
前記微粒子捕集装置の最初の微粒子捕集の際の前記捕集期間における前記前後差圧の検出値の曲線に基づいて第１累積算出値とこの第１累積算出値より大きな値となる第２累積算出値を予め設定し、
前記捕集期間において、前回の前記第２ＰＭ再生制御の終了直後から前記第１累積値未満までのデータを使用せずに、前記第１累積値と前記第２累積値の間のデータ、若しくは、前記第１累積値と次回の前記第２ＰＭ再生制御の開始直前の間のデータを使用して、前記傾斜角度を算出して、この傾斜角度が予め設定した判定角度以上の場合に判定用回数をカウントすると共に、
この判定用回数が予め設定した判定回数値を超えたときに、前記微粒子捕集装置のＰＭ再生制御を、前記通常時用ＰＭ再生制御モードから、前記緊急時用ＰＭ再生制御モードに切り替える制御を行う請求項５に記載の微粒子捕集装置のＰＭ再生制御方法。
【請求項７】
前記緊急時用ＰＭ再生制御モードにおいて、
前記第１ＰＭ再生制御の前記ＮＯｘ増加制御を行う時間を、前記通常時用ＰＭ再生制御モードのときよりも長くするか、
または、前記第２ＰＭ再生制御の前記排気ガス昇温制御における、排気ガスの昇温速度を、前記通常時用ＰＭ再生制御モードのときよりも小さくするか、
または、前記第２ＰＭ再生制御における排気ガスの温度の上限設定値を、前記通常時用ＰＭ再生制御モードのときよりも低くするか
のいずれか一つまたはいずれか二つの組み合わせまたは全部を行う請求項５または６に記載の微粒子捕集装置のＰＭ再生制御方法。
【発明の詳細な説明】
【技術分野】
【０００１】
本発明は、内燃機関の排気通路に配設され、ウォールフロータイプのフィルタで構成される微粒子捕集装置のＰＭ再生制御システム、内燃機関、及び微粒子捕集装置のＰＭ再生制御方法に関する。
【背景技術】
【０００２】
一般に、ディーゼルエンジン等の内燃機関では、排気ガスに含まれる微粒子状物質（Particulate Matter：ＰＭ、煤）を捕集除去する微粒子捕集装置を備えた排気ガス浄化システムを排気通路に設けている。
【０００３】
この微粒子捕集装置には捕集できるＰＭの量に上限があるため、この捕集されたＰＭを除去するＰＭ再生制御を定期的に行っている。このＰＭ再生制御は、主に、ＮＯｘ増加制御による再生制御と、排気ガス昇温制御による再生制御（強制ＰＭ再生制御）の２種類の再生制御で構成される。
【０００４】
ＮＯｘ増加制御では、微粒子捕集装置の温度が、微粒子捕集装置に捕集したＰＭを排気ガスに含まれるＮＯｘにより高効率で酸化除去できる温度範囲（３５０℃〜４００℃）にあるときに、例えば、排気通路より吸気通路に還流させるＥＧＲガスの量を減少させる等により、排気ガスに含まれるＮＯｘ量を増加させることで、微粒子捕集装置に捕集したＰＭを酸化除去する。
【０００５】
また、排気ガス昇温制御では、一定量以上のＰＭが微粒子捕集装置に捕集されたときに、排気ガスを昇温制御して、微粒子捕集装置に捕集されたＰＭを燃焼除去する。この制御を実施するか否かの判定は、すなわち、微粒子捕集装置へのＰＭの捕集量が一定量を超えたか否かの判定は、微粒子捕集装置の前後差圧（圧力損失）が一定差圧値を超えたか否かによって行われる場合が多い。
【０００６】
一方、車両の走行距離や走行時間が長くなるにつれて、ＰＭの堆積だけでなく、ＰＭとは別に排気ガスに含まれる、エンジンオイルの成分に起因するアッシュ（灰性状物質）の堆積の影響によっても、微粒子捕集装置の前後差圧が大きくなる。この分解温度が概ね８００℃以上のアッシュの分解除去には、８００℃以上の高熱の環境が必要となるため、６００℃程度に昇温した排気ガスを微粒子捕集装置に通過させて微粒子状物質を燃焼除去させる通常の強制ＰＭ再生制御では、アッシュの除去ができず、アッシュは微粒子捕集装置に堆積し続ける。
【０００７】
ここで、この微粒子捕集装置は、一般的に、多孔質のセラミックのハニカムのセル（チャンネル）の入口と出口を交互に目封じしたモノリスハニカム型ウォールフロータイプのフィルタ等で形成される。そして、排気ガスに含まれるＰＭとアッシュは、この多孔質のセラミックの壁で捕集される。なお、この壁の部分に、白金や酸化セリウム等の酸化触媒やＰＭ酸化触媒を担持する場合が多い。このモノリスハニカム型ウォールフロータイプのフィルタに堆積されるアッシュは、堆積場所によって、プラグアッシュとウォールアッシュの２種類に大別される。
【０００８】
プラグアッシュＰＡは、図３に示すように、出口側を目封じした各セル（インレット側の各セル）１０ａの下流側の目封じ部分１０ａａに堆積して、各セル１０ａの一端側を閉塞させるため、プラグアッシュ堆積後は、微粒子捕集装置の下流側に排気ガスが流れなくなる。その結果、プラグアッシュが堆積して閉塞されていない上流側にＰＭが堆積することになり、この閉塞分に相当する面積分だけ、微粒子捕集装置２の各セル１０ａ、１０ｂを仕切るＰＭ捕集用の壁１０ｃ（１０ｃａ、１０ｃｂ、１０ｃｃ）の面積（ＰＭ捕集面積）が実質的に減少する。このプラグアッシュＰＡは、ＰＭ捕集用の壁（煤捕集壁）１０ｃをガスが透過するときの抵抗への影響はないが、実質的にＰＭ捕集面積を減少させるため、図７に示すように、微粒子捕集装置１０における前後差圧（圧力損失）が上昇して、傾斜角度αｐａが大きくなる。
【０００９】
一方、ウォールアッシュＷＡは、図４に示すように、ＰＭ捕集用の壁１０ｃの表面に一様に堆積して形成される層状のアッシュである。このウォールアッシュＷＡは、ＰＭ捕集面積には影響しないが、アッシュ層に相当する分だけ、図７に示すように、ＰＭ捕集用の壁１０ｃのガス透過時の抵抗が多くなるので、強制ＰＭ再生制御直後の圧力損失ΔＰｗａを上昇させる。なお、実際には、図５に示すように、各セルにプラグアッシュＰＡとウォールアッシュＷＡが両方とも混在して堆積する。
【００１０】
次に、ウォールアッシュＷＡからプラグアッシュＰＡへの遷移原理（形成原理）について説明する。微粒子捕集装置２には、まず、ＰＭがＰＭ捕集用の壁（煤捕集壁）１０ｃに徐々に捕集されるとともに、アッシュ粒子がウォールアッシュＷＡの形態でＰＭ捕集用の壁１０ｃに堆積して、この位置とほぼ同じ位置にアッシュ層を形成していく。
【００１１】
そして、強制ＰＭ再生制御時に、高温の排気ガスＧにより、煤捕集壁１０ｃの全体に捕集されたＰＭが徐々に分解されて燃焼除去されるとともに、ウォールアッシュ粒子ＷＡが高温の排気ガスＧに曝されることで凝集して、より粒子径が大きくなる。ウォールアッシュ粒子ＷＡは、この粒子径の拡大で排気ガスＧによる力を受け易くなり、微粒子捕集装置２の下流側に流されてプラグアッシュＰＡを形成していく。すなわち、強制ＰＭ再生制御時に、ウォールアッシュＷＡの一部はプラグアッシュＰＡへと変化することとなる。
【００１２】
上述したように、微粒子捕集装置２にプラグアッシュＰＡが堆積することで、微粒子捕集装置２の強制ＰＭ再生制御時には、ＰＭが堆積した上流側、即ち、プラグアッシュＰＡが堆積して閉塞していない側の各領域Ｒ１〜Ｒ（ｉ）（１≦ｉ≦Ｘ−１、好ましくは５≦Ｘ≦１０）でのみ、排気ガスＧが煤捕集壁１０ｃを通過してＰＭが燃焼除去されるので、図１、図６に示すように、ＰＭが堆積した上流側の温度（各領域Ｒ１〜Ｒ（ｉ）の温度であるＴ１〜Ｔ（ｉ））が上昇する。その一方で、ＰＭの堆積していない下流側、即ち、プラグアッシュＰＡが堆積して閉塞している側の温度（各領域Ｒ（ｉ＋１）〜Ｒ（Ｘ）の温度であるＴ（ｉ＋１）〜Ｔ（Ｘ））は相対的に低くなる。
【００１３】
したがって、特に、微粒子捕集装置２に大量のプラグアッシュＰＡが堆積しているときに、微粒子捕集装置２を通過する排気ガスＧの温度が高温であると、微粒子捕集装置２の内部の温度分布では、この上流側の領域Ｒ（ｉ＋１）の温度と下流側の領域Ｒ（ｉ）の温度の温度差ΔＴ（ｉ）（＝Ｔ（ｉ＋１）−Ｔ（ｉ））が大きくなるので、この温度差ΔＴに起因して、熱膨張の影響により、微粒子捕集装置２が破損（溶損）する虞が生じる。
【００１４】
これに関連して、例えば、排ガス中に含まれる灰分が排ガス浄化フィルタの壁面に堆積するのか底部に堆積するのかを、自然再生か強制再生かに基づいて、あるいは、フィルタの入口温度、ベッド温度、ＰＭ堆積量に基づいて判定して、壁面に堆積する灰分による圧力損失影響代と底部に堆積する灰分による圧力損失影響代を算出し、検出したフィルタ前後差圧からこれらの圧力損失影響代を常に除くことで、ＰＭによる圧力損失を求めて、堆積するＰＭ量を推定する排ガス浄化フィルタのパティキュレート堆積量検出装置が提案されている（例えば、特許文献１参照）。
【先行技術文献】
【特許文献】
【００１５】
【特許文献１】特許第４６８２８７７号
【発明の概要】
【発明が解決しようとする課題】
【００１６】
本発明者は、微粒子捕集装置へのアッシュ（プラグアッシュ、ウォールアッシュ）の堆積は不可避であるが、微粒子捕集装置の内部の温度分布に起因する破損（溶損）を防止するためには、微粒子捕集装置に大量のプラグアッシュが堆積したことを検知したときに、通常時に行うＰＭ再生制御モードとは、別の制御モードである緊急時用のＰＭ再生制御モードに切り替えて、微粒子捕集装置全体の温度上昇を抑制しながら、微粒子捕集装置のＰＭ再生制御を行うことが有効であるとの知見を得た。
【００１７】
そして、本発明者は、ウォールアッシュからプラグアッシュへの遷移原理（形成原理）と、微粒子捕集装置の前後差圧に対する、ウォールアッシュとプラグアッシュの影響仕方が異なることを鑑みて、微粒子捕集装置の前後差圧に基づいて、プラグアッシュの堆積状態を推定することで、微粒子捕集装置に大量のプラグアッシュが堆積したか否かを判定できるとの知見を得た。
【００１８】
本発明は、上記のことを鑑みてなされたものであり、その目的は、内燃機関の排気通路に配設され、ウォールフロータイプのフィルタで構成される微粒子捕集装置であって、該微粒子捕集装置に捕集されたＰＭを、ＮＯｘ増加制御による第１ＰＭ再生制御と排気ガス昇温制御による第２ＰＭ再生制御（強制ＰＭ再生制御）のいずれか一方又は両方により構成されるＰＭ再生制御で除去させる微粒子捕集装置のＰＭ再生制御システムに関し、特に、微粒子捕集装置に大量のプラグアッシュが堆積しているか否かを高精度で推定することができるとともに、微粒子捕集装置に大量のプラグアッシュが堆積していると判定したときには、通常時に行うＰＭ再生制御モードから別の制御モードである緊急時用のＰＭ再生制御モードに切り替えて、微粒子捕集装置全体の温度上昇を抑制しながら、微粒子捕集装置のＰＭ再生制御を行うことで、微粒子捕集装置の内部の温度分布に起因する破損（溶損）を防止することができる微粒子捕集装置のＰＭ再生制御システム、内燃機関、及び微粒子捕集装置のＰＭ再生制御方法を提供することにある。
【課題を解決するための手段】
【００１９】
上記の目的を達成するための本発明の微粒子捕集装置のＰＭ再生制御システムは、ウォールフロータイプのフィルタで構成され、内燃機関の排気通路に配設されて、該排気通路を通過する排気ガス中のＮＯｘを増加するＮＯｘ増加制御を行う第１ＰＭ再生制御、または、前記排気通路を通過する排気ガスを昇温する排気ガス昇温制御を行う第２ＰＭ再生制御で捕集したＰＭを除去する微粒子捕集装置のＰＭ再生制御システムにおいて、前記微粒子捕集装置の前後差圧を検出する差圧検出装置を設けるとともに、当該ＰＭ再生制御システムを制御する制御装置が、前記第２ＰＭ再生制御の終了から次回の前記第２ＰＭ再生制御の開始までの捕集期間における前記微粒子捕集装置のＰＭ捕集量に関して、エンジン回転数と負荷に基づいて算出されるＰＭ捕集量の累積算出値を横軸にして、この累積算出値の算出時に対応する前記差圧検出装置で検出される前後差圧の検出値を縦軸にプロットした図における前記前後差圧の検出値の増加度合いを示す傾斜角度を算出するとともに、この算出した前記傾斜角度に基づいて、前記微粒子捕集装置のＰＭ再生制御を、通常時用ＰＭ再生制御モードから、前記微粒子捕集装置における熱負荷を通常時用ＰＭ再生制御モードよりも低くする緊急時用ＰＭ再生制御モードに切り替える制御を行うように構成される。
【００２０】
上述したように、微粒子捕集装置のＰＭ再生制御時に、ウォールアッシュの一部がプラグアッシュに変化する。また、微粒子捕集装置の前後差圧に対して、ウォールアッシュよりプラグアッシュの方が影響が大きい、つまり、前後差圧をより大きくする。これらのことを鑑みて、微粒子捕集装置の各強制ＰＭ再生制御（第２ＰＭ再生制御）後に、エンジン回転数及び負荷に基づいて算出される微粒子捕集装置のＰＭ捕集量の累積算出値に対する、差圧検出装置（差圧センサ）で検出される前後差圧の検出値の増加度合いを示す傾斜角度を算出し、この算出した傾斜角度に基づいて、微粒子捕集装置のＰＭ再生制御を、通常時に行う通常時用ＰＭ再生制御モードから、緊急時用ＰＭ再生制御モードに切り替える。この緊急時用ＰＭ再生制御モードは、通常時に行うＰＭ再生制御モードとは別の制御モードであり、微粒子捕集装置へのプラグアッシュの堆積状態を考慮して設定される、微粒子捕集装置全体の温度上昇を抑制するための制御モードである。
【００２１】
したがって、この構成によれば、微粒子捕集装置へのプラグアッシュの堆積状態に基づいて、微粒子捕集装置のＰＭ再生制御を、緊急時用ＰＭ再生制御モードに切り替えてＰＭ再生制御を行うので、微粒子捕集装置の内部の温度分布に起因する破損（溶損）を防止することができる。
【００２２】
また、上記の微粒子捕集装置のＰＭ再生制御システムにおいて、前記制御装置が、前記微粒子捕集装置の最初の微粒子捕集の際の前記捕集期間における前記前後差圧の検出値の曲線に基づいて第１累積算出値とこの第１累積算出値より大きな値となる第２累積算出値を予め設定し、前記捕集期間において、前回の前記第２ＰＭ再生制御の終了直後から前記第１累積値未満までのデータを使用せずに、前記第１累積値と前記第２累積値の間のデータ、若しくは、前記第１累積値と次回の前記第２ＰＭ再生制御の開始直前の間のデータを使用して、前記傾斜角度を算出して、この傾斜角度が予め設定した判定角度以上の場合に判定用回数をカウントすると共に、この判定用回数が予め設定した判定回数値を超えたときに、前記微粒子捕集装置のＰＭ再生制御を、前記通常時用ＰＭ再生制御モードから、前記緊急時用ＰＭ再生制御モードに切り替える制御を行うように構成される。
【００２３】
この構成によれば、前回の前記第２ＰＭ再生制御の終了直後から第１累積値未満までのデータを使用しないので、微粒子捕集装置へのプラグアッシュの堆積状態を高精度で推定することができ、微粒子捕集装置２に大量のプラグアッシュＰＡが堆積したことを高精度で判定することができる。それと共に、微粒子捕集装置に大量のプラグアッシュが堆積していると判定したときには、緊急時用ＰＭ再生制御モードに切り替えるので、微粒子捕集装置の内部の温度分布に起因する破損（溶損）を確実に防止することができる。
【００２４】
ここで、図８に示すように、微粒子捕集装置のＰＭ捕集量の累積算出値が微小量（図８の斜線部分）であるときは、微粒子捕集装置内部のＰＭ捕集用の壁へのＰＭの深層濾過が発生する領域（深層濾過エリア）であり、微粒子捕集装置のＰＭ捕集量の累積算出値に対する、微粒子捕集装置の前後差圧（圧力損失）の検出値の変化が大きく、この微粒子捕集装置の前後差圧の検出値に基づいて算出される傾斜角度の算出誤差が大きくなる。
【００２５】
したがって、第１累積値と第２累積値の間を、微粒子捕集装置内部のＰＭ捕集用の壁へのＰＭの深層濾過が発生した後の領域（スートケーク濾過エリア）に設定することで、微粒子捕集装置のＰＭ捕集量の累積算出値に対する、微粒子捕集装置の前後差圧の検出値が略一定で増加する範囲で傾斜角度を算出することで、傾斜角度の算出誤差を小さくする。この結果、微粒子捕集装置へのプラグアッシュの堆積状態を高精度で確実に推定することができる。
【００２６】
また、上記の微粒子捕集装置のＰＭ再生制御システムにおいて、前記制御装置が、前記緊急時用ＰＭ再生制御モードにおいて、前記第１ＰＭ再生制御の前記ＮＯｘ増加制御を行う時間を、前記通常時用ＰＭ再生制御モードのときよりも長くするか、または、前記第２ＰＭ再生制御の前記排気ガス昇温制御における、排気ガスの昇温速度を、前記通常時用ＰＭ再生制御モードのときよりも小さくするか、または、前記第２ＰＭ再生制御における排気ガスの温度の上限設定値を、前記通常時用ＰＭ再生制御モードのときよりも低くするか
のいずれか一つまたはいずれか二つの組み合わせまたは全部を行うように構成される。
【００２７】
この構成によれば、プラグアッシュの堆積が進行した状態での、微粒子捕集装置のＰＭ再生制御時における微粒子捕集装置全体の温度上昇を抑制することができるので、微粒子捕集装置の内部の温度分布に起因する破損（溶損）を確実に防止することができる。
【００２８】
また、上記の目的を達成するための本発明の内燃機関は、上記の微粒子捕集装置のＰＭ再生制御システムを備えて構成され、上記の微粒子捕集装置のＰＭ再生制御システムが奏する効果と同様の効果を奏することができる。
【００２９】
そして、上記の目的を達成するための本発明の微粒子捕集装置のＰＭ再生制御方法は、ウォールフロータイプのフィルタで構成され、内燃機関の排気通路に配設されて、該排気通路を通過する排気ガス中のＮＯｘを増加するＮＯｘ増加制御を行う第１ＰＭ再生制御、または、前記排気通路を通過する排気ガスを昇温する排気ガス昇温制御を行う第２ＰＭ再生制御で捕集したＰＭを除去する微粒子捕集装置のＰＭ再生制御方法において、前記第２ＰＭ再生制御の終了から次回の前記第２ＰＭ再生制御の開始までの捕集期間における前記微粒子捕集装置のＰＭ捕集量に関して、エンジン回転数と負荷に基づいてＰＭ捕集量の累積算出値を算出すると共に、この累積算出値の算出時に対応する前記微粒子捕集装置における前後差圧の検出値を差圧検出装置で検出し、前記累積算出値を横軸にして、この累積算出値の算出時に対応する前記前後差圧の検出値を縦軸にプロットした図における前記前後差圧の検出値の増加度合いを示す傾斜角度を算出するとともに、この算出した前記傾斜角度に基づいて、前記微粒子捕集装置のＰＭ再生制御を、通常時用ＰＭ再生制御モードから、前記微粒子捕集装置における熱負荷を通常時用ＰＭ再生制御モードよりも低くする緊急時用ＰＭ再生制御モードに切り替える制御を行うことを特徴とする方法である。
【００３０】
また、上記の微粒子捕集装置のＰＭ再生制御方法において、前記微粒子捕集装置の最初の微粒子捕集の際の前記捕集期間における前記前後差圧の検出値の曲線に基づいて第１累積算出値とこの第１累積算出値より大きな値となる第２累積算出値を予め設定し、前記捕集期間において、前回の前記第２ＰＭ再生制御の終了直後から前記第１累積値未満までのデータを使用せずに、前記第１累積値と前記第２累積値の間のデータ、若しくは、前記第１累積値と次回の前記第２ＰＭ再生制御の開始直前の間のデータを使用して、前記傾斜角度を算出して、この傾斜角度が予め設定した判定角度以上の場合に判定用回数をカウントすると共に、この判定用回数が予め設定した判定回数値を超えたときに、前記微粒子捕集装置のＰＭ再生制御を、前記通常時用ＰＭ再生制御モードから、前記緊急時用ＰＭ再生制御モードに切り替える制御を行う。
【００３１】
また、上記の微粒子捕集装置のＰＭ再生制御方法において、前記緊急時用ＰＭ再生制御モードにおいて、前記第１ＰＭ再生制御の前記ＮＯｘ増加制御を行う時間を、前記通常時用ＰＭ再生制御モードのときよりも長くするか、または、前記第２ＰＭ再生制御の前記排気ガス昇温制御における、排気ガスの昇温速度を、前記通常時用ＰＭ再生制御モードのときよりも小さくするか、または、前記第２ＰＭ再生制御における排気ガスの温度の上限設定値を、前記通常時用ＰＭ再生制御モードのときよりも低くするかのいずれか一つまたはいずれか二つの組み合わせまたは全部を行う。
【００３２】
これらの方法によれば、上記の微粒子捕集装置のＰＭ再生制御システムと同様の効果を奏することができる。
【発明の効果】
【００３３】
本発明の微粒子捕集装置のＰＭ再生制御システム、内燃機関、及び微粒子捕集装置の再生制御方法によれば、微粒子捕集装置へのプラグアッシュの堆積状態を高精度で推定することができ、微粒子捕集装置に大量のプラグアッシュが堆積していると推定したときには、微粒子捕集装置における熱負荷を通常時用ＰＭ再生制御モードよりも低くする緊急時用ＰＭ再生制御モードに切り替えるので、微粒子捕集装置の内部の温度分布に起因する破損（溶損）を確実に防止することができる。
【図面の簡単な説明】
【００３４】
【図１】（ａ）は、本発明に係る実施の形態の微粒子捕集装置のＰＭ再生制御システムにおける、微粒子捕集装置の構成を模式的に示す図であり、（ｂ）は、（ａ）の微粒子捕集装置のセルの一部に蓄積したプラグアッシュの様子を模式的に示す図である。
【図２】本発明に係る実施の形態の微粒子捕集装置のＰＭ再生制御方法の制御フローを示す図である。
【図３】微粒子捕集装置のセル内のプラグアッシュの堆積状況を模式的に示す図である。
【図４】微粒子捕集装置のセル内のウォールアッシュの堆積状況を模式的に示す図である。
【図５】微粒子捕集装置のプラグアッシュ及びウォールアッシュの両方の堆積状況を模式的に示す図である。
【図６】ＰＭ再生中の微粒子捕集装置の内部の各領域の温度推移を示す図で、プラグアッシュ堆積の有無の差を例示する図である。
【図７】微粒子捕集装置へのアッシュ堆積状況毎に、ＰＭ捕集量の算出値に対する、微粒子捕集装置の前後差圧（圧力損失）の推移を示す図である。
【図８】微粒子捕集装置のＰＭ捕集量の累積算出値が微小量であるときにおける、ＰＭ捕集量の累積算出値に対する、微粒子捕集装置の前後差圧（圧力損失）の変化の大きさを示す図である。
【発明を実施するための形態】
【００３５】
以下、本発明に係る実施の形態の微粒子捕集装置のＰＭ再生制御システム、内燃機関、及び微粒子捕集装置のＰＭ再生制御方法について、図面を参照しながら説明する。なお、本発明に係る実施の形態の内燃機関は、本発明に係る実施の形態の微粒子捕集装置のＰＭ再生制御システム１を備えて構成され、後述する微粒子捕集装置のＰＭ再生制御システム１と同様の作用効果を奏することができる。
【００３６】
図１に示すように、本発明に係る実施の形態の微粒子捕集装置のＰＭ再生制御システム１が対象とする微粒子捕集装置２は、エンジン（内燃機関）（図示しない）の排気通路（図示しない）に配設され、その内部にウォールフロータイプのフィルタを備えて構成される。
【００３７】
図１の（ｂ）に示すように、このタイプのフィルタは、多孔質のセラミックのハニカムのセル（チャンネル）の入口と出口を交互に目封じしたモノリスハニカム型ウォールフロータイプのフィルタであり、このフィルタの出口側を目封じした各セル（インレット側のセル：図面の上側のセル）１０ａと、入口側を目封じした各セル（アウトレット側のセル：図面の下側のセル）１０ｂを仕切るＰＭ捕集用の壁１０ｃａ、１０ｃｂ、１０ｃｃ（以下総称では１０ｃとする）で、排気ガスＧに含まれるＰＭ（微粒子状物質）（図示しない）を捕集する。
【００３８】
また、この微粒子捕集装置２には、ＰＭとは別で、排気ガスＧに含まれ、エンジンオイルの成分に起因するアッシュ（灰性状物質）が堆積していく。このアッシュは、堆積状態により、プラグアッシュＰＡとウォールアッシュＷＡの２種類に大別される。プラグアッシュＰＡは、図３に示すように、インレット側の各セル１０ａの下流側の目封じ部分１０ａａに堆積するアッシュ（クロスハッチング部分）である。また、ウォールアッシュＷＡは、図４に示すように、ＰＭ捕集用の壁１０ｃの表面に一様に堆積して形成されるアッシュ（アッシュ層：斜線部分）である。図５に、このプラグアッシュＰＡとウォールアッシュＷＡの両方の堆積状態を示す。
【００３９】
ここで、ウォールアッシュＷＡからプラグアッシュＰＡへの遷移原理（形成原理）について説明する。微粒子捕集装置２には、まず、ＰＭがＰＭ捕集用の壁（煤捕集壁）１０ｃに徐々に捕集されるとともに、アッシュ粒子がウォールアッシュＷＡの形態でＰＭ捕集用の壁１０ｃに堆積して、アッシュ層を形成していく。なお、アッシュ粒子は、ＰＭが堆積した位置とほぼ同じ位置のＰＭ捕集用の壁１０ｃに堆積していく。そして、強制ＰＭ再生制御時に、高温の排気ガスＧにより、ＰＭ捕集用の壁１０ｃの全体に捕集されたＰＭが徐々に分解されて燃焼除去されるとともに、このウォールアッシュ粒子ＷＡが高温の排気ガスＧに曝されることでウォールアッシュ粒子ＷＡが凝集して、より粒子径の大きいウォールアッシュ粒子となる。この粒子径の大きいウォールアッシュ粒子ＷＡは排気ガスＧによる力を受け易くなり、微粒子捕集装置２の下流側に流されてプラグアッシュＰＡを形成していく。すなわち、強制ＰＭ再生制御時に、ウォールアッシュＷＡの一部はプラグアッシュＰＡへと変化することとなる。
【００４０】
ここで、微粒子捕集装置２へのプラグアッシュＰＡの堆積のみ考えると、排気ガスＧがＰＭ捕集用の壁１０ｃの単位透過面積を通過するときの抵抗は変わらないが、プラグアッシュＰＡの分だけ（図１における、幅ＤＸ）、ＰＭ捕集用の壁１０ｃの透過面積が小さくなり、ＰＭ捕集容量が小さくなるので、圧力損失は大幅に大きくなり、その分、前後差圧ΔＰは大幅に大きくなり、図７に示すように、ＰＭ捕集量の累積算出値に対する前後差圧ΔＰでは、傾斜角度αｐａが大きくなる。
【００４１】
ウォールアッシュＷＡによる圧力損失の影響は、図７に示すように、微粒子捕集装置２のＰＭ捕集用の壁１０ｃにＰＭが捕集されていないときには、ウォールアッシュ層ＷＡの分だけ、排気ガスＧが透過するときの抵抗は大きくなるので、排気ガスＧがＰＭ捕集用の壁１０ｃを通過するときの圧力損失ΔＰｗａは大きくなり、その分、ＰＭ捕集時の前後差圧ΔＰは大きくなる。なお、新製品時にはアッシュの堆積が無いため、図７に示すようにＰＭの堆積による前後差圧ΔＰは、ＰＭ捕集用の壁１０ｃの表面空孔にＰＭが捕集されていくにつれて、深層濾過からスートケーク濾過に移行し、深層濾過のような急激な前後差圧ΔＰの上昇は起こらなくなる。
【００４２】
上記を踏まえて、本願発明の実施の形態の微粒子捕集装置のＰＭ再生制御システム１は、ウォールフロータイプのフィルタで構成され、内燃機関の排気通路に配設されて、この排気通路を通過する排気ガス中のＮＯｘを増加するＮＯｘ増加制御を行う第１ＰＭ再生制御、または、排気通路を通過する排気ガスを昇温する排気ガス昇温制御を行う第２ＰＭ再生制御で捕集したＰＭを除去する微粒子捕集装置２のＰＭ再生制御システム１である。
【００４３】
この微粒子捕集装置のＰＭ再生制御システム１において、微粒子捕集装置２の前後差圧ΔＰを検出する差圧センサ（差圧検出装置：図示しない）を設ける。それとともに、このＰＭ再生制御システム１を制御する制御装置（図示しない）を次のように構成する。
【００４４】
つまり、制御装置が、第２ＰＭ再生制御（強制ＰＭ再生制御）の終了から次回の第２ＰＭ再生制御の開始までの捕集期間における微粒子捕集装置２のＰＭ捕集量に関して、エンジン回転数と負荷に基づいてＰＭ捕集量の累積算出値Ｃｃを算出し、この算出されたＰＭ捕集量の累積算出値Ｃｃを横軸にして、この累積算出値Ｃｃの算出時に対応する差圧センサで検出される前後差圧の検出値ΔＰを縦軸にプロットした図（例えば、図７及び図８）における前後差圧の検出値ΔＰの増加度合いを示す傾斜角度αｐａを算出し、更に、図８に示すように、この算出した傾斜角度αｐａ（＝ΔＰｄ／ΔＣｃ）に基づいて、微粒子捕集装置２のＰＭ再生制御を、通常時用ＰＭ再生制御モードから、微粒子捕集装置２における熱負荷を通常時用ＰＭ再生制御モードよりも低くする緊急時用ＰＭ再生制御モードに切り替える制御を行うように構成される。ここで、この制御装置は、例えば、エンジン全般の運転状態を制御するエンジンコントロールユニット（ＥＣＵ）に組み込んで構成してもよいし、独立して設けてもよい。
【００４５】
言い換えれば、微粒子捕集装置２のＰＭ再生制御時に、ウォールアッシュＷＡの一部がプラグアッシュＰＡに変化する。また、微粒子捕集装置２の前後差圧に対して、ウォールアッシュＷＡとプラグアッシュＰＡとの影響の仕方が異なる。これらのことを鑑みて、微粒子捕集装置２の各強制ＰＭ再生制御（第２ＰＭ再生制御）後に、エンジン回転数及び負荷に基づいて算出される微粒子捕集装置２のＰＭ捕集量の累積算出値Ｃｃに対する、差圧センサで検出される前後差圧の検出値ΔＰの増加度合いを示す傾斜角度αｐａを算出し、この算出した傾斜角度αｐａに基づいて、微粒子捕集装置２のＰＭ再生制御を、通常時に行う通常時用ＰＭ再生制御モードから、緊急時用ＰＭ再生制御モードに切り替える。この緊急時用ＰＭ再生制御モードは、通常時に行うＰＭ再生制御モードとは別の制御モードであり、微粒子捕集装置２へのプラグアッシュＰＡの堆積状態を考慮して設定される、微粒子捕集装置２全体の温度上昇を抑制するための制御モードである。
【００４６】
より具体的には、制御装置が、図８に示すように、微粒子捕集装置２の最初の微粒子捕集の際の捕集期間における前後差圧の検出値ΔＰの曲線に基づいて第１累積算出値ｃｃｄとこの第１累積算出値Ｃｃｄより大きな値となる第２累積算出値Ｃｃｕを予め設定しておく。
【００４７】
それと共に、制御装置が、捕集期間において、前回の第２ＰＭ再生制御の終了直後Ｃｃ０から第１累積値Ｃｃｄ未満までのデータを使用せずに、第１累積値Ｃｃｄと第２累積値Ｃｃｕの間のデータ、若しくは、第１累積値Ｃｃｄと次回の第２ＰＭ再生制御の開始直前Ｃｃｓの間のデータを使用して、傾斜角度αｐａを算出して、この傾斜角度αｐａが予め実験結果などから設定した判定角度αｐａ０以上の場合に判定用回数Ｃをカウントすると共に、この判定用回数Ｃが予め設定した判定回数値Ｃ０を超えたときに、微粒子捕集装置２のＰＭ再生制御を、通常時用ＰＭ再生制御モードから、緊急時用ＰＭ再生制御モードに切り替える制御を行う。
【００４８】
この構成によれば、前回の第２ＰＭ再生制御の終了直後Ｃｃ０から第１累積値Ｃｃｄ未満までのデータを使用しないので、微粒子捕集装置２へのプラグアッシュＰＡの堆積状態を高精度で推定することができ、微粒子捕集装置２に大量のプラグアッシュＰＡが堆積したことを高精度で判定することができる。それとともに、微粒子捕集装置２に大量のプラグアッシュＰＡが堆積していると判定したときには、緊急時用ＰＭ再生制御モードに切り替えるので、微粒子捕集装置２の内部の温度分布に起因する破損（溶損）を確実に防止することができる。
【００４９】
ここで、図８に示すように、微粒子捕集装置２のＰＭ捕集量の累積算出値Ｃｃが微小量（図８の斜線部分）であるときは、微粒子捕集装置２内部のＰＭ捕集用の壁１０ｃへのＰＭの深層濾過が発生する領域（深層濾過エリア）であり、微粒子捕集装置２のＰＭ捕集量の累積算出値Ｃｃに対する、微粒子捕集装置２の前後差圧（圧力損失）の検出値ΔＰの変化が大きく、この微粒子捕集装置２の前後差圧の検出値ΔＰに基づいて算出される傾斜角度αｐａの算出誤差が大きくなる。
【００５０】
したがって、第１累積値Ｃｃｄと第２累積値Ｃｃｕの間を、微粒子捕集装置２内部のＰＭ捕集用の壁１０ｃへのＰＭの深層濾過が発生した後の領域（スートケーク濾過エリア）に設定することで、微粒子捕集装置２のＰＭ捕集量の累積算出値Ｃｃに対する、微粒子捕集装置２の前後差圧の検出値ΔＰが略一定で増加する範囲で傾斜角度αｐａ（＝ΔＰｄ／ΔＣｃ：ΔＣｃ＝Ｃｃｕ−Ｃｃｄ）を算出することで、傾斜角度αｐａの算出誤差を小さくする。この結果、微粒子捕集装置２へのプラグアッシュＰＡの堆積状態を高精度で確実に推定することができる。
【００５１】
また、この緊急時用ＰＭ再生制御モードにおいては、第１ＰＭ再生制御のＮＯｘ増加制御を行う時間を、通常時用ＰＭ再生制御モードのときよりも長くするか、または、第２ＰＭ再生制御の排気ガス昇温制御における、排気ガスの昇温速度を、通常時用ＰＭ再生制御モードのときよりも小さくするか、または、第２ＰＭ再生制御における排気ガスの温度の上限設定値を、前記通常時用ＰＭ再生制御モードのときよりも低くするかのいずれか一つまたはいずれか二つの組み合わせまたは全部を行うように構成される。
【００５２】
この構成によれば、プラグアッシュＰＡの堆積が進行した状態での、微粒子捕集装置２のＰＭ再生制御時における微粒子捕集装置２全体の温度上昇を抑制することができるので、微粒子捕集装置２の内部の温度分布に起因する破損（溶損）を確実に防止することができる。
【００５３】
なお、ＰＭ再生制御を緊急時用ＰＭ再生制御モードに移行したときは、微粒子捕集装置２の破損（溶損）を防止しながらの運転になり、燃費の悪化等が懸念されるので、車両の運転席に警告灯（図示しない）を設け、ＰＭ再生制御が緊急時用ＰＭ再生制御モードに移行したときにこの警告灯を点灯または点滅させて、運転者に微粒子捕集装置２の早期洗浄を促すように構成するのが好ましい。
【００５４】
次に、上記の微粒子捕集装置のＰＭ再生制御方法について、図２の制御フローを参照しながら説明する。図２の制御フローは、微粒子捕集装置２のＰＭ再生制御の終了時に上級の制御フローから呼ばれて実施され、実施後に上級の制御フローに戻る制御フローであり、微粒子捕集装置２のＰＭ再生制御が終了する毎に繰り返し呼ばれて実施される。なお、この図２の制御フローに基づく制御の途中で、内燃機関が運転停止するとき等では、割り込みが生じて、リターンにいって上級の制御フローに戻り、この上級の制御フローの終了と共に終了する。
【００５５】
この図２の制御フローがスタートすると、ステップＳ１１で、第２ＰＭ再生制御（強制ＰＭ再生制御）の終了から次回の第２ＰＭ再生制御の開始までの捕集期間における微粒子捕集装置２のＰＭ捕集量に関して、エンジン回転数と負荷に基づいてＰＭ捕集量の累積算出値Ｃｃを算出する。
【００５６】
また、ステップＳ１２で、差圧センサで前後差圧の検出値ΔＰを検出する。次のステップＳ１３で、前後差圧の検出値ΔＰと累積算出値Ｃｃとを対応させて、ＰＭ捕集量の累積算出値Ｃｃを横軸にして、この累積算出値Ｃｃの算出時に対応する前後差圧の検出値ΔＰを縦軸にプロットした図（例えば、図８）における前後差圧の検出値ΔＰの増加度合いを示す傾斜角度αｐａを算出する。
【００５７】
ステップＳ１４にて、傾斜角度αｐａが、実験などにより予め設定された判定角度αｐａ０以上であるか否かを判定する。このステップＳ１４にて、傾斜角度αｐａが判定角度αｐａ０以上である場合（ＹＥＳ）に、ステップＳ１５にて判定用回数Ｃをカウントすると共に、ステップＳ１６で、この判定用回数Ｃが予め設定した判定回数値Ｃ０を超えたか否かを判定する。ステップＳ１６にて、判定用回数Ｃが予め設定した判定回数値Ｃ０を超えたときには、微粒子捕集装置２に大量のプラグアッシュＰＡが堆積していると判定して、ステップＳ１７に行き、微粒子捕集装置２のＰＭ再生制御を、通常時用ＰＭ再生制御モードから、緊急時用ＰＭ再生制御モードに切り替える制御を行う。その後、リターンして、上級の制御フローに戻る。
【００５８】
このステップＳ１４にて、傾斜角度αｐａが判定角度αｐａ０未満である場合（ＮＯ）には、そのまま、判定用回数Ｃをカウントすることなく、また、ＰＭ再生制御を、通常時用ＰＭ再生制御モードから、緊急時用ＰＭ再生制御モードに切り替える制御を行うことなく、リターンして、上級の制御フローに戻る。
【００５９】
次に、本発明の実施の形態の微粒子捕集装置のＰＭ再生制御方法について説明する。この微粒子捕集装置のＰＭ再生制御方法は、ウォールフロータイプのフィルタで構成され、内燃機関の排気通路に配設されて、該排気通路を通過する排気ガス中のＮＯｘを増加するＮＯｘ増加制御を行う第１ＰＭ再生制御、または、前記排気通路を通過する排気ガスを昇温する排気ガス昇温制御を行う第２ＰＭ再生制御で捕集したＰＭを除去する微粒子捕集装置のＰＭ再生制御方法である。
【００６０】
この微粒子捕集装置のＰＭ再生制御方法において、第２ＰＭ再生制御の終了から次回の第２ＰＭ再生制御の開始までの捕集期間における微粒子捕集装置のＰＭ捕集量に関して、エンジン回転数と負荷に基づいてＰＭ捕集量の累積算出値Ｃｃを算出すると共に、この累積算出値Ｃｃの算出時に対応する微粒子捕集装置２における前後差圧の検出値ΔＰを差圧センサで検出し、累積算出値Ｃｃを横軸にして、この累積算出値Ｃｃの算出時に対応する前後差圧の検出値ΔＰを縦軸にプロットした図における前後差圧の検出値ΔＰの増加度合いを示す傾斜角度αｐａを算出するとともに、この算出した傾斜角度αｐａに基づいて、微粒子捕集装置２のＰＭ再生制御を、通常時用ＰＭ再生制御モードから、微粒子捕集装置２における熱負荷を通常時用ＰＭ再生制御モードよりも低くする緊急時用ＰＭ再生制御モードに切り替える制御を行う方法である。
【００６１】
また、この微粒子捕集装置のＰＭ再生制御方法において、微粒子捕集装置２の最初の微粒子捕集の際の捕集期間における前後差圧の検出値ΔＰの曲線に基づいて第１累積算出値Ｃｃｄとこの第１累積算出値Ｃｃｄより大きな値となる第２累積算出値Ｃｃｕを予め設定し、捕集期間において、前回の第２ＰＭ再生制御の終了直後Ｃｕ０から第１累積値未満Ｃｕｄまでのデータを使用せずに、第１累積値Ｃｃｄと第２累積値Ｃｃｕの間のデータ、若しくは、第１累積値Ｃｃｄと次回の第２ＰＭ再生制御の開始直前Ｃｕｓの間のデータを使用して、傾斜角度αｐａを算出して、この傾斜角度αｐａが予め設定した判定角度αｐａ０以上の場合に判定用回数Ｃをカウントすると共に、この判定用回数Ｃが予め設定した判定回数値Ｃ０を超えたときに、微粒子捕集装置２のＰＭ再生制御を、通常時用ＰＭ再生制御モードから、緊急時用ＰＭ再生制御モードに切り替える制御を行う。
【００６２】
また、この微粒子捕集装置のＰＭ再生制御方法において、緊急時用ＰＭ再生制御モードにおいて、第１ＰＭ再生制御のＮＯｘ増加制御を行う時間を、通常時用ＰＭ再生制御モードのときよりも長くするか、または、第２ＰＭ再生制御の排気ガス昇温制御における、排気ガスの昇温速度を、通常時用ＰＭ再生制御モードのときよりも小さくするか、または、第２ＰＭ再生制御における排気ガスの温度の上限設定値を、通常時用ＰＭ再生制御モードのときよりも低くするかのいずれか一つまたはいずれか二つの組み合わせまたは全部を行う。
【００６３】
上記の構成の微粒子捕集装置のＰＭ再生制御システム１、内燃機関、及び微粒子捕集装置の再生制御方法によれば、微粒子捕集装置２へのプラグアッシュＰＡの堆積状態を高精度で推定することができ、微粒子捕集装置２に大量のプラグアッシュＰＡが堆積しているか否かを高精度で推定することができるとともに、微粒子捕集装置２に大量のプラグアッシュＰＡが堆積していると判定したときには、緊急時用ＰＭ再生制御モードに切り替えるので、微粒子捕集装置２の内部の温度分布に起因する破損（溶損）を確実に防止することができる。
【符号の説明】
【００６４】
１  微粒子捕集装置のＰＭ再生制御システム
２  微粒子捕集装置
１０ａ  インレット側のセル
１０ａａ  インレット側のセルの目封じ部分
１０ｂ  アウトレット側のセル
１０ｂｂ  アウトレット側のセルの目封じ部分
１０ｃ、１０ｃａ、１０ｃｂ、１０ｃｃ  ＰＭ捕集用の壁
Ｃ  判定回数の積算値
Ｃ０  設定閾値
Ｃｃ  ＰＭ捕集量の累積算出値
Ｃｃ０  前回の第２ＰＭ再生制御の終了直後
Ｃｃｄ  第１累積算出値
Ｃｃｕ  第２累積算出値
Ｃｃｓ  次回の第２ＰＭ再生制御の開始直前
Ｃ  判定用回数
Ｃ０  判定回数値
Ｇ  排気ガス
Ｇｃ  浄化処理された排気ガス
ＰＡ  プラグアッシュ
ＷＡ  ウォールアッシュ
αｐａ  傾斜角度
αｐａ０  判定角度
ΔＣｃ  ＰＭ捕集量の累積算出値の増加
ΔＰ  前後差圧の検出値
ΔＰｄ  前後差圧の検出値の増加量
【図１】
2017025717.tif 000003
【図２】
2017025717.tif 000004
【図３】
2017025717.tif 000005
【図４】
2017025717.tif 000006
【図５】
2017025717.tif 000007
【図６】
2017025717.tif 000008
【図７】
2017025717.tif 000009
【図８】
2017025717.tif 000010